(57)【特許請求の範囲】
【請求項１】
監視対象となる設備又はシステムの監視データを受け付ける信号入力部と、
オペレータの操作を受け付ける操作入力部と、
前記信号入力部に入力した監視データに基づいて、監視画面の表示データを生成すると共に、前記信号入力部に異常又は故障を示す監視データが入力した場合に、警告用の第１のガイダンスウィンドウを画面中に表示する表示データを生成する表示処理部とを備え、
前記表示処理部は、前記操作入力部での入力操作による所定の作業の実行中に、前記監視画面の代わりに、前記作業の実況状況を示す作業画面の表示データを生成し、その作業画面の表示データを生成している状態で、且つ前記操作入力部で直前の一定時間以内に入力操作がある状態で、前記信号入力部に異常又は故障を示すデータが入力した場合に、前記第１のガイダンスウィンドウとは異なる表示内容で、前記第１のガイダンスウィンドウより小さな表示面積の第２のガイダンスウィンドウを、前記作業画面の一部に表示する表示データを生成し、前記作業画面の表示データを生成した状態で、前記操作入力部で前記一定時間連続して入力操作がない場合に前記信号入力部に異常又は故障を示すデータが入力したとき、前記第１のガイダンスウィンドウを画面中に表示する表示データを生成する
監視制御装置。
【請求項２】
前記第２のガイダンスウィンドウは、異常又は故障に対する対処用の画面にリンクしたリンクボタンを表示し、
前記操作入力部が受け付けた操作で、前記リンクボタンが選択された場合に、前記表示処理部は、選択されたリンクボタンにリンクされた別の画面を表示する
請求項１記載の監視制御装置。
【請求項３】
前記リンクボタンの少なくとも１つは、前記信号入力部に入力した異常又は故障を示す箇所の図面を表示する画面にリンクしたボタンとした
請求項２記載の監視制御装置。
【請求項４】
前記リンクボタンの少なくとも１つは、前記信号入力部に入力した異常又は故障に対する操作指示を表示する画面にリンクしたボタンとした
請求項２又は３記載の監視制御装置。
【請求項５】
前記第１のガイダンスウィンドウは、前記監視画面と切り替えて画面全体に表示するウィンドウである
請求項１〜４のいずれか１項に記載の監視制御装置。
【請求項６】
前記表示処理部は、予め設定した表示条件に応じて、前記第１及び第２のガイダンスウィンドウの表示内容を変更する
請求項１〜５のいずれか１項に記載の監視制御装置。
【請求項７】
前記表示処理部は、前記操作入力部で操作を行うオペレータの認証結果に応じて、前記第２のガイダンスウィンドウの表示内容を変更する
請求項１〜５のいずれか１項に記載の監視制御装置。
【請求項８】
監視対象となる設備又はシステムの監視データを受け付ける信号入力部と、
オペレータの操作を受け付ける操作入力部と、
前記信号入力部に入力した監視データに対応した前記監視対象の操作マニュアル表示画面のデータを記憶する記憶部と、
前記信号入力部に入力した監視データに基づいて、監視画面の表示データを生成すると共に、前記信号入力部に異常又は故障を示すデータが入力した場合に、前記記憶部に記憶された警告用の操作マニュアル表示画面のデータを読み出し、警告用の第１のガイダンスウィンドウを、前記監視画面の代わりに画面中に表示する表示データを生成する表示処理部とを備え、
前記表示処理部は、前記操作入力部での入力操作による所定の作業の実行中に、前記監視画面の代わりに、前記作業の実況状況を示す作業画面の表示データを生成し、その作業画面の表示データを生成している状態で、且つ前記操作入力部で直前の一定時間以内に入力操作がある状態で、前記信号入力部に異常又は故障を示すデータが入力した場合に、前記警告用の操作マニュアル表示画面とは異なる表示内容で、前記第１のガイダンスウィンドウより小さな表示面積の第２のガイダンスウィンドウを、前記作業画面の一部に表示する表示データを生成し、前記作業画面の表示データを生成した状態で、前記操作入力部で前記一定時間連続して入力操作がない場合に前記信号入力部に異常又は故障を示すデータが入力したとき、前記第１のガイダンスウィンドウを画面中に表示する表示データを生成する
監視制御装置。
【請求項９】
監視対象となる設備又はシステムの監視データを受け付ける監視データ入力処理と、
前記監視データ入力処理で入力した監視データに基づいて、監視画面を表示する監視画面表示処理と、
オペレータ操作による所定の作業の実行で、作業画面を表示する作業画面表示処理と、
前記監視画面表示処理で監視画面を表示した状態で、前記監視データ入力処理で異常又は故障を示す監視データが入力した場合に、警告用の第１のガイダンスウィンドウを画面中に表示し、前記作業画面表示処理で作業画面を表示した状態で、且つ直前の一定時間以内に入力操作がある状態で、前記監視データ入力処理で異常又は故障を示す監視データが入力した場合に、前記第１のガイダンスウィンドウとは異なる表示内容で、前記第１のガイダンスウィンドウより小さな表示面積の第２のガイダンスウィンドウを、前記作業画面の一部に表示し、前記作業画面を表示した状態で、前記一定時間連続して入力操作がない場合に前記監視データ入力処理で異常又は故障を示すデータが入力したとき、前記第１のガイダンスウィンドウを画面中に表示するガイダンスウィンドウ表示処理とを行う
監視制御方法。
【発明の詳細な説明】
【技術分野】
【０００１】
本発明は、プラントやインフラストラクチャなどのシステムの監視及び制御を行う監視制御装置及び監視制御方法に関する。
【背景技術】
【０００２】
従来、上下水プラントや発電プラントや工場内の監視及び制御や、鉄道運行の監視及び制御や、ユーティリティ監視システムなどのインフラストラクチャやプラントの監視及び制御を、監視場所に設置された監視制御装置で集中して行う場合がある。
【０００３】
従来の監視制御装置は、監視制御装置が備えるＨＭＩ(ヒューマンマシンインターフェース)部としての表示処理部に、監視対象のプラントなどからの故障信号が入力されると、予め定義した故障メッセージを、監視画面やサブウィンドウとして表示する処理を行う。
この種のシステムでは、故障発生時の状況確認を素早く行うために、故障メッセージが表示された状態での表示の切替操作で、故障状態の詳細画面に切替えるようにしている。また、自動画面展開モードが用意されている監視制御装置の場合には、故障発生時に、自動的に故障状態の詳細画面に切替えることも行われている。
また、この種のシステムでは、機器操作や設定変更などのプラントの操作を行うときに、予め登録したメッセージウィンドウを表示して、注意喚起や事故対応表示を行うガイダンスを表示することができる。
【０００４】
特許文献１には、プラント機器の監視制御装置の一例についての記載がある。この特許文献１に記載された監視制御装置は、ウィンドウ形式で監視画面に表示し、異常状態が発生した場合に、異常状態を警告するウィンドウ画面で表示する点についての記載がある。
【先行技術文献】
【特許文献】
【０００５】
【特許文献１】特開２０００−５６８２６号公報
【発明の概要】
【発明が解決しようとする課題】
【０００６】
ところで、この種の監視制御装置では、プラントを監視する作業の他に、プラントの運転状況の履歴データの修正や、システム情報の変更などの、監視に関連した各種作業を、監視制御用の画面を使って行う場合がある。従来の監視制御装置では、これらの修正や変更などの作業を行っている最中であっても、監視対象のプラントから故障信号が発せられると、自動的に画面が故障メッセージの画面や故障状態の詳細画面の表示に切り替わってしまい、一連の作業が中断してしまう。
【０００７】
このような監視制御装置を使用した作業時における、自動的な警告画面への自動的な切り替わりを防止するためには、自動画面展開モードを解除して、自動的に切り替わらない動作状態とすることが考えられる。ところが、自動画面展開モードを解除すると、再度自動画面展開モードを設定する操作をしない限りは、一連の作業が終了した後でも、自動画面展開が行われない状態が継続してしまう。自動画面展開モードが解除された状態では、、監視制御装置に故障信号が入力した場合でも、故障状態を告知する画面に切替わらず、適切な警告ができない可能性がある。従って、自動画面展開モードを解除する操作をすることは、この種の監視制御装置として好ましくない。
【０００８】
本発明は、監視制御装置を使用して各種作業を行っている場合に、そのときの作業状態に応じて適切な警告が行えるようにすることを目的とする。
【課題を解決するための手段】
【０００９】
本発明は、監視対象となる設備又はシステムの監視データを受け付ける監視データ入力処理と、監視データ入力処理で入力した監視データに基づいて、監視画面を表示する監視画面表示処理と、オペレータによる操作による所定の作業の実行で、作業画面を表示する作業画面表示処理とを行う。
また、監視画面表示処理で監視画面を表示した状態で、監視データ入力処理で異常又は故障を示す監視データが入力した場合に、警告用の第１のガイダンスウィンドウを画面中に表示するガイダンスウィンドウ表示処理を行う。
さらに、そのガイダンスウィンドウ表示処理として、作業画面表示処理で作業画面を表示した状態で、且つ直前の一定時間以内にオペレータによる入力操作がある状態で、監視データ入力処理で異常又は故障を示す監視データが入力した場合に、第１のガイダンスウィンドウとは異なる表示内容で、第１のガイダンスウィンドウより小さな表示面積の第２のガイダンスウィンドウを、作業画面の一部に表示する処理を行う。そして、作業画面の表示データを生成した状態で、一定時間連続してオペレータによる入力操作がない場合に異常又は故障を示すデータが入力したとき、第１のガイダンスウィンドウを画面中に表示する処理を行う。
【発明の効果】
【００１０】
本発明によると、オペレータの操作による通常の監視画面とは異なる作業画面を表示した状態で、設備の異常又は故障を検知した場合には、通常の監視画面の表示時とは異なるガイダンスウィンドウが表示され、オペレータの操作による作業を邪魔しないで最低限の警告動作が行える。従って、監視制御装置による監視機能を維持しながら、実行中の作業の効率を向上できる。
【図面の簡単な説明】
【００１１】
【図１】本発明の一実施の形態例による監視制御装置の構成を示す図である。
【図２】本発明の一実施の形態例による故障発生時の処理を示すフローチャートである。
【図３】本発明の一実施の形態例による表示変化例を示す説明図である。
【図４】本発明の一実施の形態の変形例（表示条件を設定する場合）の構成を示す図である。
【図５】本発明の一実施の形態の変形例（ログインユーザにより表示内容を変化させる場合）の構成を示す図である。
【発明を実施するための形態】
【００１２】
［１．監視制御装置の構成例］
本発明の一実施の形態例（以下、「本例」と称する）の監視制御装置の構成を、図１に示す。
図１に示した監視制御装置１０は、プラント設備１の監視及び制御を行うものある。プラント設備１は、例えば上水道プラント、下水道プラント、発電プラント、工場内の製造設備のプラント等、各種プラント設備が適用できる。また、プラント設備ではなく、鉄道の運行監視制御などの各種インフラストラクチャの監視制御装置でもよい。
【００１３】
監視制御装置１０には液晶ディスプレイなどで構成される表示装置３０が接続してあり、表示装置３０での監視画面などの表示を監視制御装置１０が制御する。
監視制御装置１０は、表示装置３０での表示を制御する表示制御部１１と、信号入力部１２と、故障判定部１３と、操作入力部１４と、表示データ生成部１５と、信号出力部１６と、データ記憶部２０とを備える。
【００１４】
信号入力部１２は、プラント設備１からプラント運転状況などの監視データの入力処理を行い、その入力した監視データを表示制御部１１及び故障判定部１３に供給する。
故障判定部１３は、入力した監視データの内の特定のデータの状態から、プラント設備１に故障又は異常が発生したか否かを判定する。故障判定部１３で故障又は異常の発生を判定した場合、故障又は異常の発生を示すデータを故障判定部１３から表示制御部１１に供給する。なお、以下の説明では、故障が発生した場合の処理を説明するが、何らかの異常が発生した場合も処理としては同じである。
【００１５】
表示制御部１１は、信号入力部１２から供給された監視データの状態に基づいた、プラント設備１の監視画面などの作成を、表示データ生成部１５に指示する。表示データ生成部１５は、表示制御部１１からの指示に基づいて各種画面の表示データを生成し、その生成した表示データを、表示装置３０に供給する。従って、表示制御部１１と表示データ生成部１５とで、表示装置３０での表示画面を生成する表示処理部として機能する。
また、表示制御部１１には、データ記憶部２０が接続してある。このデータ記憶部２０は、監視画面などの表示画面を生成させるのに必要な監視動作用のプログラム（ソフトウェア）やデータを記憶し、信号入力部１２に入力された監視データの記憶も行う。また、データ記憶部２０は、プラント設備１の操作マニュアルや、プラント設備の各部の図面（配管系統図など）も記憶している。操作マニュアルには、故障時や異常時の対応などが記載されたガイダンスウィンドウのデータも含まれる。
【００１６】
操作入力部１４は、オペレータが操作するキーボードやポインティングデバイス（マウスなど）からの操作を受け付け、入力した操作データを表示制御部１１に供給する。なお、ポインティングデバイスでの操作を操作入力部１４が受け付けた場合には、表示装置３０で表示された画面中のボタンを選択する操作など、表示に連動した操作を可能としてある。例えば、画面中に表示されたリンクボタンを選択するポインティングデバイスの操作がある際に、そのリンクボタンに付加されたリンク先のアドレスのデータを画面中に表示するような、表示と連動した操作が可能である。
【００１７】
また、操作入力部１４が受け付けたオペレータ操作で、プラント設備１の特定箇所の操作指示があった場合には、その操作指示を表示制御部１１に伝える。表示制御部１１がプラント設備１の特定箇所の操作指示を受け取ると、該当する箇所の操作データを、信号出力部１６を介してプラント設備１に供給し、該当する箇所の操作を行う。例えば、プラント設備１の配管系統図を表示装置３０で表示した状態で、操作入力部１４でその表示中の配管系統図の中の特定のバルブの開又は閉を指示するオペレータ操作を受け付けたとき、該当するバルブの開又は閉を指示する操作データを、信号出力部１６からプラント設備１側に供給する。
【００１８】
なお、本例の監視制御装置１０は、監視データに基づいて表示装置３０で表示を行うモードとして、自動画面展開モードを備える。自動画面展開モードは、監視対象のプラント設備１に故障や異常がある場合に、故障又は異常を告知するガイダンスウィンドウを、画面中に自動的に表示するガイダンスウィンドウ表示処理を実行するモードである。監視画面の表示処理中に、自動画面展開モードが設定された状態で故障又は異常を検出した場合には、監視画面の上に重ねるようにして、故障又は異常を告知するガイダンスウィンドウを表示する。この監視画面表示中に表示するガイダンスウィンドウは、例えば画面のほぼ中央部に比較的大きな面積で表示するウィンドウである。このガイダンスウィンドウは、故障箇所や異常箇所についての情報や、その故障や異常に対する対処を、図や文字などで表示する。
この自動展開モードの設定と解除は、オペレータによる操作で実行され、そのための操作入力を操作入力部１４で検出した場合に、表示制御部１１が、自動画面展開モードの設定及び解除を行う。自動画面展開モードの現在の設定状況は、例えばデータ記憶部２０が記憶する。
【００１９】
また、本例の監視制御装置１０は、監視対象のプラント設備１の監視画面の表示だけでなく、プラント設備１の運転状況の履歴データの修正作業や、システム情報の変更作業などの、プラント設備１に関連した各種作業画面の表示処理が、表示装置３０で行える。この作業画面を表示した状態で、操作入力部１４で受け付けたオペレータ操作で、表示制御部１１が表示中の作業を実行し、その実行結果を作業画面に反映する。作業の実行結果は、例えばデータ記憶部２０が記憶する。
【００２０】
［２．監視制御装置の動作例］
次に、本例の監視制御装置の動作例を説明する。
図２のフローチャートは、監視制御装置１０に接続した表示装置３０で、プラント設備１の監視画面とは異なる作業画面を表示中に、故障判定部１３で故障発生を判定した場合の、表示制御部１１での処理例である。
故障判定部１３から表示制御部１１への、プラント設備１の故障発生を示すデータの供給で、この図２のフローチャートの故障発生時処理を開始する（ステップＳ１１）。
故障発生時処理を開始すると、表示制御部１１は、自動画面展開モードが設定されているか、あるいは、自動画面展開モードが解除されているかを判断する（ステップＳ１２）。自動画面展開モードが解除されている場合には、図２のフローチャートの故障発生時処理を終了し、特に表示画面を変化させない。
【００２１】
ステップＳ１２で自動画面展開モードが設定中と判断した場合には、操作入力部１４で最後に操作入力を受け付けてから、現在までの経過時間をみて、予め決められた一定時間を経過したか否か、そして経過した一定時間内に何らかの操作があったか否かを判断する（ステップＳ１３）。この一定時間は、例えば３分や５分程度の時間とする。
【００２２】
このステップＳ１３の判断で、一定時間連続して操作がない場合には、作業画面中の代わりに、ガイダンスウィンドウの表示に変化させる自動画面展開を行う（ステップＳ１４）。例えば図２のステップＳ１４の欄に示すように、データ修正作業画面３１を表示した状況で、ステップＳ１４の処理を実行したとき、故障箇所の配管系統図などの、故障箇所の詳細と故障の対処を説明した第１のガイダンスウィンドウを表示する。例えば、データ修正作業画面３１の表示を、故障箇所の配管系統図などを示したガイダンスウィンドウ３２の表示に切り替える。あるいは、データ修正作業画面３１を表示した上に重ねて、ガイダンスウィンドウ３２を表示する。いずれの場合にも、ガイダンスウィンドウ３２は、比較的大きな面積で目立つように表示する。なお、このガイダンスウィンドウ３２は、監視画面を表示中に自動画面展開で表示するガイダンスウィンドウと同じ表示内容である。
【００２３】
また、ステップＳ１３で、最後に操作入力を受け付けてから、現在までの経過時間が一定時間以内であると判断した場合には、データ修正作業画面３１を表示したままで、そのデータ修正作業画面３１の隅などの一部に、第２のガイダンスウィンドウを表示する。例えば図２のステップＳ１５の欄に示すように、データ修正作業画面３１を表示したままで、そのデータ修正作業画面３１の右上の隅などの一部に、ガイダンスウィンドウ３３を表示する。このガイダンスウィンドウ３３は、ステップＳ１４の自動画面展開処理で表示するガイダンスウィンドウ３２よりも表示面積が小さなウィンドウとしている。また、表示内容についても、文字などで簡単に故障又は異常を警告したものである。右上の隅に表示するのは一つの例であり、データ修正作業画面３１中のその他の位置に表示してもよい。例えば、データ修正作業画面３１中の空白が多い箇所に表示するようにしてもよい。
【００２４】
また、この例のガイダンスウィンドウ３３は、ウィンドウ内にリンクボタン表示３４，３５が行われるようになっている。例えば、ガイダンスウィンドウ３３の例を、図２のステップＳ１５の欄にガイダンスウィンドウ３３′として拡大して示すと、表示文章中の「配管系統図」と記載された箇所が、リンクボタン表示３４となり、「バルブを開閉」と記載された箇所が、リンクボタン表示３５となる。リンクボタン表示３４，３５の箇所は、周囲と表示色を変える等の処理を行っており、リンクボタン表示３４，３５ごとに、異常又は故障に対する対処用の画面にリンクするデータを付加している。具体的には、例えば「配管系統図」と記載されたリンクボタン表示３４の表示箇所をマウスなどでクリックする操作があった場合に、操作マニュアル中の故障箇所の「配管系統図」を表示する処理を実行する。同様に、「バルブを開閉」のリンクボタン表示３５のクリック操作があった場合には、操作マニュアル中の故障箇所の「バルブ操作画面」を表示する。
なお、図２のステップＳ１５の欄に拡大して示したガイダンスウィンドウ３３′は、説明を判りやすくするために拡大して示したものであるが、例えば、画面の隅のガイダンスウィンドウ３３をクリックする操作などで、画面上で同様に拡大表示するようにしてもよい。
【００２５】
このように表示が変化することで、何らかの作業画面の表示中に故障又は異常が発生したとき、作業画面の表示を邪魔しないガイダンスウィンドウ表示が行われる。従って、オペレータの操作による作業を邪魔しないで、最低限の警告動作を行うことができ、監視制御装置による監視機能を維持しながら、実行中の作業の効率を向上することができる。
【００２６】
［３．監視制御装置の表示変化例］
図３は、データ修正作業画面３１を表示した状態での、表示変化例を示したものである。
図３（ａ）に示すようにデータ修正作業画面３１を表示した状態で、監視制御装置１０に故障発生を示す監視データが入力したとする。このとき、オペレータ操作が一定時間以内にある場合に、図３（ｂ）に示すガイダンスウィンドウ３３の表示が、データ修正作業画面３１の右上の隅などで行われる。図３（ｂ）の右側に拡大したガイダンスウィンドウ３３′を示してあり、この例では２カ所のリンクボタン表示３４，３５がある。
【００２７】
そして、ガイダンスウィンドウ３３中の「配管系統図」と記載されたリンクボタン表示３４を選択する操作があるとき、図３（ｃ）に示すように、故障箇所の配管系統図表示３７を行う。このようにリンクボタン表示３４の選択操作で、異常又は故障を示す箇所の図面を表示する画面を表示することができる。
さらに、配管系統図表示３７を行った状態で、ガイダンスウィンドウ３３中の「バルブを開閉」と記載されたリンクボタン表示３５を選択する操作があるとき、図３（ｄ）に示すように、バルブ操作画面表示３８を行う。このようにリンクボタン表示３５の選択操作で、異常又は故障に対する操作指示を表示する画面を表示することができる。図３（ｄ）の例では、配管系統図表示３７を表示させたままで、バルブ操作画面表示３８を重ねて表示した状態である。バルブ操作画面表示３８の中には、バルブ操作指示３９を表示してあり、例えばオペレータ操作でこのバルブ操作指示３９の位置を閉位置から開位置に変更することで、該当するバルブの操作が行われる。なお、図３（ｄ）の表示は、図３（ｂ）に示す表示状態のときに、ガイダンスウィンドウ３３中のリンクボタン表示３５を選択する操作でも行われる。
【００２８】
［４．警告動作の変形例（例１）］
図２のフローチャートで説明したガイダンスウィンドウ３３を表示する処理では、故障や異常を示すデータの検出に基づいて、表示するガイダンスウィンドウを選択した。これに対して、ガイダンスウィンドウを表示する際に、何らかの条件を設定するようにしてもよい。例えば、図４に示すように、監視制御装置１０として、表示条件設定部２２を設けて、その表示条件設定部２２で予め設定した条件を、表示制御部１１が判断する。そして、データ修正作業画面３１などの作業画面を表示した状態で、故障判定部１３から故障を示す監視データが表示制御部１１に入力したとき、その表示条件設定部２２で設定した条件に対応したガイダンスウィンドウ３３ａを表示してもよい。即ち、データ記憶部２０が記憶したガイダンスデータ２１の中から、表示条件設定部２２で設定した条件に適合した適切なガイダンスウィンドウ３３ａを選択して、表示装置３０に表示する。表示条件設定部２２は、例えばオペレータが設定した条件や、各種センサが検出した条件など、様々な条件の設定を行うことができる。表示条件設定部２２で設定する条件が複数ある場合には、その複数の条件の複合的な判断で、種々のガイダンスデータ２１の中から、適切なデータを抽出して、適切なガイダンスウィンドウ３３を表示してもよい。
【００２９】
［５．警告動作の変形例（例２）］
また、ガイダンスウィンドウを表示する際に、操作入力部１４で操作を行うオペレータの認証結果に応じて、ガイダンスウィンドウの表示内容を変更してもよい。例えば、図５に示すように、監視制御装置１０として、ログインユーザ判定部２３を設けて、そのログインユーザ判定部２３で判定したユーザ（オペレータ）がどのような権限を有するオペレータであるかを、表示制御部１１で判断する。そして、データ修正作業画面３１などの作業画面を表示した状態で、故障判定部１３から故障を示す監視データが表示制御部１１に入力したとき、そのログインユーザ判定部２３で判定したオペレータの権限に基づいて、適切なガイダンスウィンドウ３３ｂを表示してもよい。このときには、データ記憶部２０が記憶したガイダンスデータ２１の中から、オペレータの権限に基づいた適切なガイダンスウィンドウ３３ｂを選択して、表示装置３０に表示する。例えば、バルブなどの設備を操作する権限を有するオペレータの場合には、該当するバルブなどを操作する画面を表示させるリンクボタンを表示し、操作する権限を持たないオペレータの場合には、バルブなどを操作する画面を表示させるリンクボタンを表示しない構成としてもよい。
なお、図４の例と図５の例は、それぞれ、監視画面を表示時に自動展開するガイダンスウィンドウ（図２のステップＳ１４で表示するウィンドウ）についても、表示条件設定部２２で設定した条件やログインユーザ判定部２３で判定したオペレータに基づいて、変化させてもよい。また、表示条件設定部２２で設定した条件と、ログインユーザ判定部２３で判定したオペレータの権限との双方で、表示ウィンドウの内容を変化させてもよい。
【００３０】
［６．その他の変形例］
図１の例では、監視制御装置１０が故障判定部１３を備えて、監視制御装置１０内で監視データから故障判定を行う構成とした。この故障判定処理は、監視制御装置１０とは別の外部の装置で行い、その外部の装置で判定された故障発生のデータを、監視制御装置１０に供給する構成でもよい。
また、監視制御装置１０と表示装置３０とは、別体の装置として構成したが、一体の装置として構成してもよい。また、図１の例では、監視制御装置１０は、プラントなどの監視制御を行う専用の装置として構成したが、例えば汎用のコンピュータ装置に、図２のフローチャートに示した監視データ入力処理と監視画面表示処理と作業画面表示処理とガイダンスウィンドウ表示処理などを行うソフトウェアを実装して、本例の監視制御装置１０と同様の監視制御動作を行うように構成してもよい。
また、図１の例では、監視制御装置１０として、プラント設備などにデータを供給する信号出力部１６を備えて、プラント設備などの操作や制御が行える構成とした。これに対して、プラント設備の監視だけを表示で行う監視制御装置として構成した場合に、本発明の処理を適用してもよい。
【符号の説明】
【００３１】
１…プラント設備、１０…監視制御装置、１１…表示制御部、１２…信号入力部、１３…故障判定部、１４…操作入力部、１５…表示データ生成部、１６…信号出力部、２０…データ記憶部、２１…ガイダンスデータ、２２…表示条件設定部、２３…ログインユーザ判定部、３０…表示部、３１…データ修正画面、３２…ガイダンス画面、３３，３３′…ガイダンスウィンドウ、３４，３５…リンクボタン表示、３７…配管系統図表示、３８…バルブ操作画面表示、３９…バルブ操作指示
【図１】
0005622152.tif 000002
【図２】
0005622152.tif 000003
【図３】
0005622152.tif 000004
【図４】
0005622152.tif 000005
【図５】
0005622152.tif 000006